(57)【要約】      （修正有）【課題】簡単に折りたたむことができる立体メガネを提供する。【解決手段】第２の側板を、第１の分割側板２と第２の分割側板３とにより形成する。第１の側板と第１の分割側板２との間に、第１の鏡板４と第２の鏡板５を面が平行になるように配置し、かつ各鏡板は、第１の側板１と第１の分割側板２との間で折り曲げ自在に設置する。第１の側板１と第２の分割側板３との間に、第３の鏡板６と第４の鏡板７を面が平行になるように配置し、かつ各鏡板は、第１の側板１と第２の分割側板３との間で折り曲げ自在に設置する。【選択図】図１
0003152696.tif 000002
【実用新案登録請求の範囲】
【請求項１】
右目、左目用に各２枚の鏡を側板１及び１ａの間に設置し、鏡の反射を利用して光軸を変えて左右用２枚の写真を見る立体メガネにおいて、
（ア）側板１ａを分割側板２と分割側板３とにより形成する。
（イ）側板１と分割側板２との間に、鏡板４と鏡板５を面が平行になるように配置しかつ各鏡板は、側板１と分割側板２との間で折り曲げ自在に設置する。
（ウ）側板１と分割側板３との間に、鏡板６と鏡板７を面が平行になるように配置しかつ各鏡板は、側板１と分割側板３との間で折り曲げ自在に設置する。
以上の構成からなる折りたたみ式立体メガネ
【考案の詳細な説明】
【技術分野】
【０００１】本考案は、左右の目で見るのと同じように位置をずらして撮った２枚の写真を立体視するために、鏡の反射を利用して光軸を変えて写真を見る立体メガネに関するもので、特に図３のように右目、左目用に各２枚の鏡を側板１及び側板１ａの間に設置した構成を持つ立体メガネに関するものである。
【背景技術】
【０００２】  立体視用に撮影された写真が、一般に広くプリントされるＬ版（横幅約１３ｃｍ、縦幅約９ｃｍ）の場合、単に写真を並べただけでは目の間隔よりも大きく、容易には立体視できない。そのため、図２のように右目用、左目用に各々２枚の鏡を用いて光軸を広げる方法がとられている。ここで、鏡は９、１１で鏡９は、目に近いため鏡１１より小さくでき、図２に示す点線のように写真１３を見ることができる。
鏡は一般にガラスでできているので、組み立てに便利なように鏡を厚紙やプラスチックの板に接着して組み立てる。本考案では、鏡１１とそれを取り付けている板１２の組み合わせたものを鏡板５と表現している。他の鏡と板と鏡板との関係も同じで、鏡板４，６，７である。この厚紙やプラスチックを図３のように、２枚の側板１と１ａの間に設置して組み立てている。
この反射式の立体メガネは鏡として表面反射鏡を用いることで、画像は鮮明になり、広く用いられている。
【考案の開示】
【考案が解決しようとする課題】
【０００３】  従来の立体メガネは、２枚の側板の間に右目用と左目用に各々２枚の鏡板を配置したもので、写真のＬ版を見る場合には、鏡１１の大きさは、ほぼＬ版程度になるため、立体メガネの厚さ、すなわち図３で奥行き２０は１０ｃｍ程度になる。
このため、立体メガネの材料を厚紙やプラスチックで安価に製作し、雑誌の付録などで広く頒布しようとしても、かさばるため、容易にできなかった。
本考案は反射式の立体メガネを、簡単な構成で折りたたみ式にすることにより、厚さの欠点を解消し、雑誌の付録などに用いることで、広く頒布し、多くの人が立体視を楽しむことができるようにしたものである。
【課題を解決するための手段】
【０００４】本考案は、側板１と、側板１ａをほぼ２分割した形状を有する分割側板２と分割側板３とを有し、側板１と分割側板２との間に、鏡板５と鏡板４を面が平行になるように配置し、かつ、鏡板は、側板１と分割側板２との間で折り曲げ自在に設置する。
同様に側板１と、分割側板３との間に、鏡板６と鏡板７を面が平行になるように配置し、かつ、鏡板は、側板１と分割側板３との間で折り曲げ自在に設置する。
鏡板の角度、位置は、写真が良く見えるように配置するのは従来の立体メガネと同様である。
以上の構成をなすことにより、図４、図５のように鏡板５，４を同時に倒すことにより折りたたむ。これは、鏡板４，５が平行に設置されているために可能になっている。図４は折りたたむ途中を示しており、図５は鏡板４，５を折りたたんだ状態を示している。
その上に図６のように鏡板６，７を倒して折りたたみ、重ねることができる。
鏡板を逆方向に折りたたむと、図１１のように横長となる形で折りたたむことができる。
分割側板２及び３は、側板１ａを分割した形状に限られるものではなく、分割側板２及び３が分割されていてかつ組み立て可能であれば良く、鏡板との関係で折りたたみ可能であれば、その形状に変化をつけることができる。
鏡板は平面反射鏡を持つ板で、板に直接反射鏡を生成したものでも、別の反射鏡を板に取り付けたものでも良い。
【考案の効果】
【０００５】写真を立体視することは、楽しいばかりでなく、平面では理解しにくい構造も良く把握でき、実務にも役立つため広く用いられている。この写真を広く用いられている写真のＬ版で撮った場合は、単に写真を並べただけでは立体視することが困難で、手軽に立体写真を楽しむことができなかった。本考案は、鏡を用いた立体メガネを折りたたみ式とすることにより、厚さが１ｃｍ〜２ｃｍ程度と薄くなり、雑誌の付録、あるいは、立体写真集の付属メガネとして添付することが容易になり、広く頒布することができる。
立体メガネの構造材料を厚紙やプラスチックで製作しても、２組の平行な鏡板の折曲がりの方向が異なるため、組み立て後、分割部８を固定することにより、構造がしっかりして、取り扱いが容易である。
したがって本考案により、自分のカメラで目の間隔をずらして撮ったＬ版の写真を容易に立体視できる折りたたみ式立体メガネを、雑誌等に添付することにより広く頒布することができる。
【考案を実施するための最良の形態】
【０００６】  本考案の一実施例を示す。
厚紙で作った側板１と、側板１ａをほぼ２分割した形状を有する厚紙の分割側板２と分割側板３とを有し、側板１と分割側板２との間に、鏡板５と鏡板４を面が平行になるように配置し、かつ、鏡板は、側板１と分割側板２との間で折り曲げ自在に設置する。
側板１と、分割側板３との間に、鏡板６と鏡板７を面が平行になるように配置し、かつ、鏡板は、側板１と分割側板３との間で折り曲げ自在に設置する。
鏡板の角度、位置は、写真が良く見えるように配置する。
鏡板は、平面の鏡であって側板に折り曲げ自在に取り付け可能であればよく、板に直接鏡を形成したものでも、また、ガラスでできた表面鏡の鏡を、厚紙やプラスチックでできた板に接着したものでも良い。本実施例は厚紙の側板に容易に鏡を取り付けるため、ガラスの鏡を厚紙の板に取り付けるもので、図７に示すように、板１２及び１０には糊しろ部２１を設け、糊しろ部を側板１、及び２に接着したものである。板には折り曲げ易いように折り曲げ部に圧し型でくぼみ２２をつけてある。図７は図２のＡ−Ｂの断面を示しているが、少し折り曲げた状態を示している。
折りたたんでもぴったり重なることは必要ではなく、２ｃｍ程度の厚みに収まれば十分実用になる。厚紙には弾性があるため、材質の厚みによる組み合わせの不整合もある程度吸収し、折りたたむことができるが、必要な場合は図７に示すように厚紙で作った台１４、１５を置くことでより形良く折りたたむことができる。
この折りたたみ式立体メガネを使用する場合は、折りたたみ部を元に戻し、立体化し、分割部８を合わせ、図８の接合部１９で固定する。接合部１９の固定の方法は、分割部８を粘着テープで固定することも、また、図９のように少し重ねて凹凸部で固定することも、図１０のように側板の厚みを利用して分割部を重ねないで凹凸部を同じ面で合わせ固定することでも良く、分割側板２，３を合わせて固定できればよい。
この形状の立体メガネは、鏡板４，５は平行のため、容易に同じ方向に倒すことができ、また、鏡板６，７も平行のため、容易に倒すことができるが、鏡板４，５と鏡板６，７の倒れる方向は、異なっている。したがって、一旦分割部を固定すれば立体メガネの形は容易に変形しない構造となる。
図１２は、立体メガネにレンズ台１７を設け、それに凸レンズ１６を付けたもので、写真との距離に応じ、写真を拡大し見やすくしたものである。また、切欠き１８は、目を立体メガネに接触するまでに近づけた場合、鼻がぶつからないように設けたものである。
【図面の簡単な説明】
【０００７】
【図１】本考案の斜視図
【図２】鏡を利用する立体メガネの原理説明図
【図３】従来の立体メガネの斜視図
【図４】本考案の立体メガネで、鏡板４，５を倒し始めたことを示す斜視図
【図５】本考案の立体メガネで、鏡板４，５を倒し終わったことを示す斜視図
【図６】本考案の立体メガネで、鏡板６，７を倒し終わったことを示す斜視図
【図７】本考案の立体メガネで、板１２、１０に糊しろをつけたものの折り曲げ説明図で、図２における断面Ａ−Ｂを示す。
【図８】本考案の立体メガネで、接合部を示した斜視図
【図９】本考案の立体メガネで、接合部の一実施例
【図１０】本考案の立体メガネで、接合部の一実施例
【図１１】本考案の立体メガネで、鏡板を外側に倒した場合の斜視図
【図１２】本考案の一実施例で、レンズを取り付けた場合の斜視図
【符号の説明】
【０００８】１  側板                    １１  鏡              ２２  くぼみ
１ａ  側板                  １２  板
２  分割側板                １３  写真
３  分割側板                １４  台
４  鏡板                    １５  台
５  鏡板                    １６  凸レンズ
６  鏡板                    １７  レンズ台
７  鏡板                    １８  切欠き
８  分割部                  １９  接合部
９  鏡                      ２０  奥行き
１０  板                    ２１  糊しろ部
【図１】
0003152696.tif 000003
【図２】
0003152696.tif 000004
【図３】
0003152696.tif 000005
【図４】
0003152696.tif 000006
【図５】
0003152696.tif 000007
【図６】
0003152696.tif 000008
【図７】
0003152696.tif 000009
【図８】
0003152696.tif 000010
【図９】
0003152696.tif 000011
【図１０】
0003152696.tif 000012
【図１１】
0003152696.tif 000013
【図１２】
0003152696.tif 000014
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
右目、左目用に各２枚の鏡を、第１の側板（１）及び第２の側板（１ａ）の間に設置し、鏡の反射を利用して光軸を変えて左右用２枚の写真を見る立体メガネにおいて、
（ア）第２の側板（１ａ）を、第１の分割側板（２）と第２の分割側板（３）とにより形成する。
（イ）第１の側板（１）と第１の分割側板（２）との間に、第１の鏡板（４）と第２の鏡板（５）を面が平行になるように配置し、かつ各鏡板は、第１の側板（１）と第１の分割側板（２）との間で折り曲げ自在に設置する。
（ウ）第１の側板（１）と第２の分割側板（３）との間に、第３の鏡板（６）と第４の鏡板（７）を面が平行になるように配置し、かつ各鏡板は、第１の側板（１）と第２の分割側板（３）との間で折り曲げ自在に設置する。
以上の構成からなる折りたたみ式立体メガネ
【手続補正書】
【提出日】平成21年5月14日(2009.5.14)
【手続補正１】
【補正対象書類名】実用新案登録請求の範囲
【補正対象項目名】全文
【補正方法】変更
【補正の内容】
【実用新案登録請求の範囲】
【請求項１】
右目、左目用に各２枚の鏡を、第１の側板（１）及び第２の側板（１ａ）の間に設置し、鏡の反射を利用して光軸を変えて左右用２枚の写真を見る立体メガネにおいて、
（ア）第２の側板（１ａ）を、第１の分割側板（２）と第２の分割側板（３）とにより形成し、
（イ）第１の側板（１）と第１の分割側板（２）との間に、第１の鏡板（４）と第２の鏡板（５）を面が平行になるように配置し、かつ各鏡板は、第１の側板（１）と第１の分割側板（２）との間で折り曲げ自在に設置し、
（ウ）第１の側板（１）と第２の分割側板（３）との間に、第３の鏡板（６）と第４の鏡板（７）を面が平行になるように配置し、かつ各鏡板は、第１の側板（１）と第２の分割側板（３）との間で折り曲げ自在に設置する、
以上の構成からなる折りたたみ式立体メガネ。